(57)【要約】【課題】既存のレンダラを利用して低コストでコンテンツ再生の引き継ぎができる宅内機器、コンテンツ引き継ぎ方法およびコンテンツ引き継ぎプログラムを提供する。【解決手段】宅内機器は、複数の再生装置のいずれかでコンテンツを再生させる再生要求が発生した場合に、再生要求の対象の再生装置が当該コンテンツを再生可能か否か判断する再生可否判断手段１１と、再生可否判断手段１１が当該コンテンツを再生可能であると判断した場合に当該コンテンツを当該再生装置に再生させる再生指示手段１２とを備え、コンテンツを再生している再生装置の再生処理を他の再生装置に引き継がせる引継要求が発生した場合に、他の再生装置が当該コンテンツを再生可能であると再生可否判断手段１１が判断した場合に、当該コンテンツの再生を停止させるとともに、他の再生装置に引き継ぎ位置から当該コンテンツを再生させる引継制御手段１３を備えている。【選択図】図９
2012134652.tif 000002
【特許請求の範囲】
【請求項１】
１つまたは複数のサーバと複数の再生装置とに接続可能な宅内機器であって、
前記複数の再生装置のいずれかでコンテンツを再生させる再生要求が発生した場合に、再生要求の対象の再生装置が当該コンテンツを再生可能か否か判断する再生可否判断手段と、
前記再生可否判断手段が当該コンテンツを再生可能であると判断した場合に当該コンテンツを当該再生装置に再生させる再生指示手段とを備え、
コンテンツを再生している再生装置の再生処理を他の再生装置に引き継がせる引継要求が発生した場合に、再生可否判断手段は、引き継ぎ先の再生装置が当該コンテンツを再生可能か否か判断し、
前記他の再生装置が当該コンテンツを再生可能であると前記再生可否判断手段が判断した場合に、当該コンテンツの再生を停止させるとともに、前記他の再生装置に引き継ぎ位置から当該コンテンツを再生させる引継制御手段を備えた
ことを特徴とする宅内機器。
【請求項２】
ＧＵＩを有する操作手段を備え、
前記操作手段は、ユーザが前記ＧＵＩを介する操作を行ったことに基づいて、引継要求を発生する
請求項１に記載の宅内機器。
【請求項３】
ＧＵＩは、Ｗｅｂブラウザを利用したＧＵＩである
請求項２に記載の宅内機器。
【請求項４】
再生指示手段および引継制御手段は、ＤＬＮＡ規格に基づくＤＭＣ機能で実現されている
請求項１から請求項３のうちのいずれか１項に記載の宅内機器。
【請求項５】
ホームゲートウェイまたはブロードバンドルータである請求項１から請求項４のうちのいずれか１項に記載の宅内機器。
【請求項６】
１つまたは複数のサーバと複数の再生装置とに接続可能な宅内機器におけるコンテンツ引き継ぎ方法であって、
前記複数の再生装置のいずれかでコンテンツを再生させる再生要求が発生した場合に、再生要求の対象の再生装置が当該コンテンツを再生可能か否か判断し、
当該コンテンツを再生可能であると判断した場合に当該コンテンツを当該再生装置に再生させ、
コンテンツを再生している再生装置の再生処理を他の再生装置に引き継がせる引継要求が発生した場合に、引き継ぎ先の再生装置が当該コンテンツを再生可能か否か判断し、
前記他の再生装置が当該コンテンツを再生可能であると判断した場合に、当該コンテンツの再生を停止させるとともに、前記他の再生装置に引き継ぎ位置から当該コンテンツを再生させる
ことを特徴とするコンテンツ引き継ぎ方法。
【請求項７】
１つまたは複数のサーバと複数の再生装置とに接続可能な宅内機器におけるコンテンツ引き継ぎプログラムであって、
コンピュータに、
前記複数の再生装置のいずれかでコンテンツを再生させる再生要求が発生した場合に、再生要求の対象の再生装置が当該コンテンツを再生可能か否か判断する処理と、
当該コンテンツを再生可能であると判断した場合に当該コンテンツを当該再生装置に再生させる処理と、
コンテンツを再生している再生装置の再生処理を他の再生装置に引き継がせる引継要求が発生した場合に、引き継ぎ先の再生装置が当該コンテンツを再生可能か否か判断する処理と、
前記他の再生装置が当該コンテンツを再生可能であると判断した場合に、当該コンテンツの再生を停止させるとともに、前記他の再生装置に引き継ぎ位置から当該コンテンツを再生させる処理を実行させる
ためのコンテンツ引き継ぎプログラム。
【発明の詳細な説明】
【技術分野】
【０００１】
本発明は、コンテンツ再生引き継ぎ制御機能を備えた宅内機器、コンテンツ引き継ぎ方法およびコンテンツ引き継ぎプログラムに関する。
【背景技術】
【０００２】
高速インターネットや大容量記録装置が一般的になったことにより、インターネット上の大型メディアコンテンツやユーザが蓄積したメディアコンテンツを多様なレンダラおよび多様な再生環境で再生することが可能となった。同時に携帯端末の普及により、移動しながらこれらのコンテンツを消費することが一般的となったので、既存の再生環境を保ったままでレンダラを自由に変更可能なコンテンツ再生方法が要求される。コンテンツ再生方法の一つに再生環境を保ったままでレンダラを引き継ぐ方法がある（例えば、特許文献１参照）。また、第１レンダラが再生位置引継時間情報などを含む承継データを生成し、ネットワークを介して第２レンダラに承継データを送信することによって、コンテンツ再生をレンダラ間で引き継ぐ方法がある（例えば、特許文献２参照）。
【先行技術文献】
【特許文献】
【０００３】
【特許文献１】特開２００７−１７４６４２号公報
【特許文献２】特開２００７−３００３９１号公報
【発明の概要】
【発明が解決しようとする課題】
【０００４】
特許文献１および特許文献２に記載された方法は、独自の機能を搭載したレンダラ間でしかコンテンツ再生の引き継ぎができない。そのため、独自の機能を搭載したレンダラがない場合はコンテンツ再生の引き継ぎができない。
【０００５】
そこで、本発明は、既存のレンダラを利用して低コストでコンテンツ再生の引き継ぎができる宅内機器、コンテンツ引き継ぎ方法およびコンテンツ引き継ぎプログラムを提供する。
【課題を解決するための手段】
【０００６】
本発明による宅内機器は、１つまたは複数のサーバと複数の再生装置とに接続可能な宅内機器であって、複数の再生装置のいずれかでコンテンツを再生させる再生要求が発生した場合に、再生要求の対象の再生装置が当該コンテンツを再生可能か否か判断する再生可否判断手段と、再生可否判断手段が当該コンテンツを再生可能であると判断した場合に当該コンテンツを当該再生装置に再生させる再生指示手段とを備え、コンテンツを再生している再生装置の再生処理を他の再生装置に引き継がせる引継要求が発生した場合に、再生可否判断手段は、引き継ぎ先の再生装置が当該コンテンツを再生可能か否か判断し、他の再生装置が当該コンテンツを再生可能であると再生可否判断手段が判断した場合に、当該コンテンツの再生を停止させるとともに、他の再生装置に引き継ぎ位置から当該コンテンツを再生させる引継制御手段を備えたことを特徴とする。
【０００７】
本発明によるコンテンツ引き継ぎ方法は、１つまたは複数のサーバと複数の再生装置とに接続可能な宅内機器におけるコンテンツ引き継ぎ方法であって、複数の再生装置のいずれかでコンテンツを再生させる再生要求が発生した場合に、再生要求の対象の再生装置が当該コンテンツを再生可能か否か判断し、当該コンテンツを再生可能であると判断した場合に当該コンテンツを当該再生装置に再生させ、コンテンツを再生している再生装置の再生処理を他の再生装置に引き継がせる引継要求が発生した場合に、引き継ぎ先の再生装置が当該コンテンツを再生可能か否か判断し、他の再生装置が当該コンテンツを再生可能であると判断した場合に、当該コンテンツの再生を停止させるとともに、他の再生装置に引き継ぎ位置から当該コンテンツを再生させることを特徴とする。
【０００８】
本発明によるコンテンツ引き継ぎプログラムは、１つまたは複数のサーバと複数の再生装置とに接続可能な宅内機器におけるコンテンツ引き継ぎプログラムであって、コンピュータに、複数の再生装置のいずれかでコンテンツを再生させる再生要求が発生した場合に、再生要求の対象の再生装置が当該コンテンツを再生可能か否か判断する処理と、当該コンテンツを再生可能であると判断した場合に当該コンテンツを当該再生装置に再生させる処理と、コンテンツを再生している再生装置の再生処理を他の再生装置に引き継がせる引継要求が発生した場合に、引き継ぎ先の再生装置が当該コンテンツを再生可能か否か判断する処理と、他の再生装置が当該コンテンツを再生可能であると判断した場合に、当該コンテンツの再生を停止させるとともに、他の再生装置に引き継ぎ位置から当該コンテンツを再生させる処理を実行させることを特徴とする。
【発明の効果】
【０００９】
本発明によれば、レンダラに新たな機能を追加せずに、再生中のコンテンツを他のレンダラに引き継ぐことができる。
【図面の簡単な説明】
【００１０】
【図１】第１の実施形態におけるホームネットワークの構成の一例を示す説明図である。
【図２】本発明を適用したホームネットワーク１００の動作シーケンスの一例を示すシーケンス図である。
【図３】ＵＰｎＰＡＶを使用して本発明を適用したホームネットワーク１００の動作シーケンスの一例を示すシーケンス図である。
【図４】ＨＧＷ１２０を使用しない場合の動作環境の一例を示す説明図である。
【図５】ＨＧＷ１２０を使用した場合の動作環境の一例を示す説明図である。
【図６】ユーザ端末１６０のインタネットブラウザに表示されるＷｅｂＧＵＩ１２２のインタフェースの一例を示す説明図である。
【図７】ＷｅｂＧＵＩ１２２およびレンダラを搭載した端末の表示画面の一例を示す説明図である。
【図８】サーバおよびユーザ端末がホームネットワークの外部にある場合のホームネットワークの構成の一例を示す説明図である。
【図９】本発明による宅内機器の主要部を示すブロック図である。
【発明を実施するための形態】
【００１１】
実施形態１．
以下、本発明の第１の実施形態を図面を参照して説明する。
【００１２】
図１は、第１の実施形態におけるホームネットワークの構成の一例を示す説明図である。
【００１３】
図１に示すように、ホームネットワーク１００は、サーバ１１０と、ホームゲートウェイ（ＨＧＷ）１２０と、レンダラＡ１３０と、レンダラＢ１４０と、ユーザ端末１６０とによって構成される。
【００１４】
本実施形態では、ホームネットワーク１００は、ＨＧＷ１２０を介してインターネット１０１と接続されている。また、ホームネットワーク１００に接続される機器は、ＤＬＮＡ（登録商標：Ｄｉｇｉｔａｌ  Ｌｉｖｉｎｇ  Ｎｅｔｗｏｒｋ  Ａｌｌｉａｎｃｅ）やＵＰｎＰＡＶ（Ｕｎｉｖｅｒｓａｌ  Ｐｌｕｇ  Ａｎｄ  Ｐｌａｙ  ＡＶ）に従って動作する。ＤＬＮＡは、ホームネットワークにおいて異なるメーカの装置間でコンテンツの共有を可能とするための技術的なガイドラインである。ＤＬＮＡでは、コンテンツを提供する機能であるＤＭＳ（Ｄｉｇｉｔａｌ  Ｍｅｄｉａ  Ｓｅｒｖｅｒ）、コンテンツの再生機能に関するＤＭＲ（Ｄｉｇｉｔａｌ  Ｍｅｄｉａ  Ｒｅｎｄｅｒｅｒ）、ＤＭＲにコンテンツを再生させる機能に関するＤＭＣ（Ｄｉｇｉｔａｌ  Ｍｅｄｉａ  Ｃｏｎｔｒｏｌｌｅｒ）などが定義されている。また、ＵＰｎＰＡＶは、機器を接続しただけでネットワークに参加できるプロトコルであり、各種機能を持ったデバイスと、デバイスを制御するコントロールポイントが定義されている。ＵＰｎＰＡＶにおけるデバイスとはＤＭＳやＤＭＲであり、コントロールポイントとはＤＭＣである。
【００１５】
サーバ１１０は、ＤＭＳの機能を備え、映像や画像などの情報を含むコンテンツを保存する。
【００１６】
レンダラＡ１３０およびレンダラＢ１４０は、ＤＭＲの機能を備え、コンテンツを再生する。
【００１７】
ＨＧＷ１２０は、コントローラ１２１と、Ｗｅｂグラフィカルユーザインタフェース（ＷｅｂＧＵＩ）１２２とを備える。
【００１８】
コントローラ１２１は、ＤＭＣの機能を備える。コントローラ１２１は、ＷｅｂＧＵＩ１２２を介して受信するユーザ端末１６０からの指示内容に従って、ＤＭＣの機能により、サーバ１１０に保存されているコンテンツを検索したり、レンダラＡ１３０およびレンダラＢ１４０にコンテンツを表示させたりする。
【００１９】
ＷｅｂＧＵＩ１２２は、Ｗｅｂブラウザ（以下、インターネットブラウザという。）を介して操作可能なＧＵＩである。また、ＷｅｂＧＵＩ１２２は、ＧＵＩの操作内容をコントローラ１２１に出力する。また、ＷｅｂＧＵＩ１２２は、コントローラ１２１からホームネットワーク１００内のレンダラの情報を取得し、ＧＵＩにレンダラの選択画面を設ける。
【００２０】
なお、コントローラ１２１およびＷｅｂＧＵＩ１２２は、プログラムに従って動作するマイクロコンピュータ等で実現可能である。
【００２１】
ユーザ端末１６０は、インターネットブラウザ１６１を使用することができる端末である。インターネットブラウザ１６１は、一般的なインターネットブラウザである。また、ユーザ端末１６０のユーザは、インターネットブラウザ１６１を介してＷｅｂＧＵＩ１２２を操作して、コンテンツの再生・停止や、レンダラの切り替えなどをコントローラ１２１に指示する。
【００２２】
次に、本実施形態の動作について説明する。
【００２３】
図２および図３を参照して、ホームネットワーク１００におけるレンダラ切り替えの動作について説明する。
【００２４】
図２は、本発明を適用したホームネットワーク１００の動作シーケンスの一例を示すシーケンス図である。
【００２５】
ユーザ端末１６０のユーザが、インターネットブラウザ１６１を使用してＷｅｂＧＵＩ１２２を操作して、サーバ１１０内のコンテンツをレンダラＡ１３０で再生するように、コントローラ１２１に対して指示を出す（ステップＳ２０１）。
【００２６】
コントローラ１２１は、ステップＳ２０１の指示を入力すると、サーバ１１０にコンテンツリストの取得を要求する（ステップＳ２０２）。
【００２７】
コントローラ１２１は、レンダラＡ１３０の再生環境情報を取得し、再生環境情報をもとにレンダラＡ１３０が再生可能であるか否かを判断する（ステップＳ２０３）。再生環境情報とは、レンダラのコンテンツ再生能力を示した情報である。例えば、レンダラが再生可能なコンテンツの種類やレンダラがコンテンツの再生位置変更能力を有しているか否かの情報などである。
【００２８】
ステップＳ２０３の判断の結果、レンダラＡ１３０が再生可能であればレンダラＡ１３０に対してコンテンツを指定し（ステップＳ２０４）、再生命令を出す（ステップＳ２０５）。レンダラＡ１３０はコンテンツを保有しているサーバ１１０からコンテンツを取得して、再生を開始する（ステップＳ２０６）。
【００２９】
レンダラＡ１３０でコンテンツ再生中に、ユーザがＷｅｂＧＵＩ１２２を操作してレンダラＡ１３０からレンダラＢ１４０へコンテンツ再生の引き継ぎをコントローラ１２１に指示した場合（ステップＳ２０７）、コントローラ１２１は、レンダラＡ１３０から現在の再生位置情報を取得し（ステップＳ２０８）、レンダラＡ１３０に再生停止を指示する（ステップＳ２０９）。再生停止の指示を受けたレンダラＡ１３０は再生を停止する。再生位置情報とは、再生位置を示す時間情報、またはバイト情報である。
【００３０】
コントローラ１２１は、レンダラＢ１４０の再生環境情報を取得し、再生環境情報をもとにレンダラＢ１４０が再生可能であるか否かを判断する（ステップＳ２１０）。
【００３１】
テップＳ２１０の判断の結果、レンダラＢ１４０が再生可能であればレンダラＢ１４０に対してコンテンツを指定し（ステップＳ２１１）、再生命令を出す（ステップＳ２１２）。レンダラＢ１４０はコンテンツを保有しているサーバ１１０からコンテンツを取得する（ステップＳ２１３）。
【００３２】
コントローラ１２１は、レンダラＢ１４０にステップＳ２０８で取得した再生位置情報に再生位置を移動するように指示を出す（ステップＳ２１４）。レンダラＢ１４０は、サーバ１１０からステップＳ２１４で指示された再生位置からのコンテンツを取得して、再生を開始する（ステップＳ２１５）。
【００３３】
図３を参照して、ＵＰｎＰＡＶを使用して本実施形態を実現した場合のホームネットワーク１００の動作について説明する。
【００３４】
図３は、ＵＰｎＰＡＶを使用して本発明を適用したホームネットワーク１００の動作シーケンスの一例を示すシーケンス図である。
【００３５】
ユーザ端末１６０のユーザが、インターネットブラウザ１６１を使用してＷｅｂＧＵＩ１２２を操作して、サーバ１１０内のコンテンツをレンダラＡ１３０で再生するように、コントローラ１２１に対して指示を出す（ステップＳ３０１）。
【００３６】
コントローラ１２１は、ステップＳ３０１の指示を入力すると、サーバ１１０にＢＲＯＷＳＥメッセージを送信し、コンテンツリストの取得を要求する（ステップＳ３０２）。
【００３７】
コントローラ１２１は、レンダラＡ１３０にＧｅｔＰｒｏｔｏｃｏｌＩｎｆｏメッセージを使用して、レンダラＡ１３０の再生環境情報を取得する。コントローラ１２１は取得した再生環境情報をもとにレンダラＡ１３０が再生可能であるか否かを判断する（ステップＳ３０３）。
【００３８】
ステップＳ３０３の判断の結果、コントローラ１２１は、レンダラＡ１３０が再生可能であれば、ＳｅｔＡＶＴｒａｎｓｐｏｒｔＵＲＩメッセージを使用して、レンダラＡ１３０に対してコンテンツを指定する（ステップＳ３０４）。また、コントローラ１２１は、Ｐｌａｙメッセージを送信して再生開始を指示をする（ステップＳ３０５）。レンダラＡ１３０は、ＨＴＴＰ  ＧＥＴメッセージを使用してコンテンツを保有しているサーバ１１０からコンテンツを取得して、再生を開始する（ステップＳ３０６）。
【００３９】
レンダラＡ１３０でコンテンツ再生中に、ユーザがＷｅｂＧＵＩ１２２を操作してレンダラＡ１３０からレンダラＢ１４０へコンテンツ再生の引き継ぎをコントローラ１２１に指示する（ステップＳ３０７）。
【００４０】
コントローラ１２１は、ＧｅｔＰｏｓｉｔｉｏｎＩｎｆｏメッセージを使用して、レンダラＡ１３０から現在の再生位置情報を取得し（ステップＳ３０８）、レンダラＡ１３０にＳＴＯＰメッセージを送信して、再生停止を指示する（ステップＳ３０９）。ＳＴＯＰメッセージを受信したレンダラ１３０は再生を停止する。
【００４１】
コントローラ１２１は、ＧｅｔＰｒｏｔｏｃｏｌＩｎｆｏメッセージを使用してレンダラＢ１４０の再生環境情報を取得し、再生環境情報をもとにレンダラＢ１４０が再生可能であるか否かを判断する（ステップＳ３１0）。
【００４２】
ステップＳ３１０の判断の結果、レンダラＢ１４０が再生可能であれば、ＳｅｔＡＶＴｒａｎｓｐｏｒｔＵＲＩメッセージを使用して、レンダラＢ１４０に対してコンテンツを指定する（ステップＳ３１１）。また、コントローラ１２１は、Ｐｌａｙメッセージを送信して再生開始を指示をする（ステップＳ３１２）。レンダラＢ１４０は、ＨＴＴＰ  ＧＥＴメッセージを使用してコンテンツを保有しているサーバ１１０からコンテンツを取得して、再生を開始する（ステップＳ３１３）。
【００４３】
コントローラ１２１は、レンダラＢ１４０にＳＥＥＫメッセージを送信して、ステップＳ３０８で取得した再生位置情報に再生位置を移動するように指示を出す（ステップＳ３１４）。レンダラＢ１４０は、ＨＴＴＰ  ＧＥＴメッセージを使用してサーバ１１０からステップＳ３１４で指示された再生位置からのコンテンツを取得して、再生を開始する（ステップＳ３１５）。
【００４４】
図４および図５を参照して、本実施形態の動作の概要について説明する。
【００４５】
図４は、ＨＧＷ１２０を使用しない場合の動作環境の一例を示す説明図である。図５は、ＨＧＷ１２０を使用した場合の動作環境の一例を示す説明図である。
【００４６】
図４に示すように、本発明を適用したＨＧＷ１２０を使用しない場合は、独自の機能を持つレンダラＤ２１０から、独自の機能を持つレンダラＥ２２０に再生切り替えが可能であるが、一般的な（独自の機能を有していない）レンダラであるレンダラＣ１５０に再生を切り替えることができない。
【００４７】
図５に示すように、本発明を適用したＨＧＷ１２０を使用した場合は、ＨＧＷ１２０が備えるコントローラ１２１を介して、ＤＭＲの機能を備えたレンダラであるレンダラＡ１３０からＤＭＲの機能を備えたレンダラであるレンダラＢ１４０およびレンダラＣ１５０に再生を切り替えることができる。また、ユーザ端末１６０が一般的なインターネットブラウザであるインターネットブラウザ１６１を備えていれば、ユーザ端末１６０のユーザはインターネットブラウザ１６１を介してＷｅｂＧＵＩ１２２を操作することができる。
【００４８】
図６は、ユーザ端末１６０のインタネットブラウザ１６１に表示されるＷｅｂＧＵＩ１２２のインタフェースの一例を示す説明図である。ユーザ端末１６０のユーザは、図６に示すように、一般のＤＶＤプレーヤと同じ感覚でＷｅｂＧＵＩ１２２のインタフェースを操作できる。
【００４９】
以上に説明したように、本実施形態によれば、レンダラ間で直接情報のやりとりをする必要がないので、レンダラに新たな機能（ＤＭＲの機能以外の機能）を追加せずに、再生中のコンテンツを他のレンダラに引き継ぐことができる。
【００５０】
また、ＨＧＷ１２０は、ＤＬＮＡおよびＵＰｎＰＡＶで標準化された機能を有するだけで、サーバやレンダラと接続することができるので、汎用性が高く、新たな開発コストを必要としない。また、本実施形態のシステムにおいて、市販のＤＭＳやＤＭＲを利用することができる。
【００５１】
また、ＨＧＷは一般的に常時通電される装置なので、ユーザは在宅時でも外出時でも、ＨＧＷ１２０の電源ＯＮ、ＯＦＦを気にすることなくシームレスに利用することができる。
【００５２】
なお、図７に示すように、ＷｅｂＧＵＩ１２２を操作するユーザ端末１６０に、コンテンツを再生するためのレンダラ１６２の機能を搭載してもよい。
【００５３】
また、ＨＧＷのフィルタリング機能を利用することによって、特別な操作を必要とせずにセキュリティを保持したまま、インターネットなどの外部ネットワークからの利用を実現できる。例えば、図８に示すように、ホームネットワーク１００の外部に接続されたユーザ端末３２０から、インターネット１０１を介して、ＷｅｂＧＵＩ１２２を操作するようにしてもよい。その場合は、ＨＧＷ１２０とユーザ端末３２０とがＨＴＴＰＳや事前認証を利用すれば、セキュリティを確保することができる。
【００５４】
また、図８に示すように、インターネット１０１を介してホームネットワーク１００の外部に接続されたサーバ３１０が持つコンテンツを再生するようにしてもよい。
【００５５】
また、レンダラＡ１３０とレンダラＢ１４０とが、ホームネットワーク１００の外部に存在し、インターネット１０１を介してＨＧＷ１２０に接続される構成であっても本発明を適用することができる。また、ＨＧＷ１２１とホームネットワーク１００の外部に存在するレンダラとがＨＴＴＰＳや事前認証を利用すれば、セキュリティを確保することができる。
【００５６】
なお、本実施形態では宅内機器としてＨＧＷを例にしたが、ブロードバンドルータ等の宅内機器に本発明を適用することができる。
【００５７】
図９は、本発明による宅内機器の主要部を示すブロック図である。
【００５８】
図９に示すように、宅内機器（実施形態では、ＨＧＷ１２０で実現される。）は、１つまたは複数のサーバ（実施形態では、サーバ１１０やサーバ３１０で実現される。）と複数の再生装置（実施形態では、レンダラＡ１３０やレンダラＢ１４０やレンダラＣ１５０で実現される。）とに接続可能な宅内機器であって、複数の再生装置のいずれかでコンテンツを再生させる再生要求が発生した場合に、再生要求の対象の再生装置が当該コンテンツを再生可能か否か判断する再生可否判断手段１１（実施形態では、コントローラ１２１で実現される。）と、再生可否判断手段１１が当該コンテンツを再生可能であると判断した場合に当該コンテンツを当該再生装置に再生させる再生指示手段１２（実施形態では、コントローラ１２１で実現される。）とを備え、コンテンツを再生している再生装置の再生処理を他の再生装置に引き継がせる引継要求が発生した場合に、再生可否判断手段１１は、引き継ぎ先の再生装置が当該コンテンツを再生可能か否か判断し、他の再生装置が当該コンテンツを再生可能であると再生可否判断手段１１が判断した場合に、当該コンテンツの再生を停止させるとともに、他の再生装置に引き継ぎ位置から当該コンテンツを再生させる引継制御手段１３（実施形態では、コントローラ１２１で実現される。）を備えている。
【００５９】
上記の実施形態には、以下のような宅内機器も開示されている。
【００６０】
（１）ＧＵＩを有する操作手段（実施形態では、ＷｅｂＧＵＩ１２２で実現される。）を備え、操作手段は、ユーザがＧＵＩを介する操作を行ったことに基づいて、引継要求を発生する宅内機器。
【００６１】
（２）ＧＵＩは、Ｗｅｂブラウザを利用したＧＵＩである宅内機器。
【００６２】
（３）再生指示手段１２および引継制御手段１３は、ＤＬＮＡ規格に基づくＤＭＣ機能で実現されている宅内機器。
【００６３】
（４）ホームゲートウェイまたはブロードバンドルータである宅内機器。
【符号の説明】
【００６４】
１１  再生可否判断手段
１２  再生指示手段
１３  引継制御手段
１００  ホームネットワーク
１０１  インターネット
１１０、３１０  サーバ
１２０  ＨＧＷ
１２１  コントローラ
１２２  ＷｅｂＧＵＩ
１３０  レンダラＡ
１４０  レンダラＢ
１５０  レンダラＣ
１６０、３２０  ユーザ端末
１６１、３２１  インターネットブラウザ
１６２  レンダラ
２１０  レンダラＤ
２２０  レンダラＥ
【図１】
2012134652.tif 000003
【図２】
2012134652.tif 000004
【図３】
2012134652.tif 000005
【図４】
2012134652.tif 000006
【図５】
2012134652.tif 000007
【図６】
2012134652.tif 000008
【図７】
2012134652.tif 000009
【図８】
2012134652.tif 000010
【図９】
2012134652.tif 000011